(57)【要約】【課題】筒状の収容部材の内部に環状のパッキンを正確に押し込む作業を容易にする。【解決手段】実施形態のパッキン押込み治具において支持部材は、下部支持板と上部支持板との間を連結している支柱と、下部支持板の上面に設置された下部ガイド棒と、上部支持板の上面に設置された上部ガイド棒と、上部支持板の上面に設置された心棒とを有する。押込み部材は、下部支持板と上部支持板との間に介在し、下部ガイド棒が貫通している下部押込み板と、上部支持板を介して下部押込み板の上方に設置され、上部ガイド棒が貫通している上部押込み板と、下部押込み板と上部押込み板との間を連結している側板とを有する。下部押込み板が下部支持板に近付くと共に上部押込み板が上部支持板に近付くように押込み部材を移動させることによって、収容部材の内部にパッキンを押し込む。【選択図】図１
2020131334.tif 000002
【特許請求の範囲】
【請求項１】
筒状の収容部材の内部に環状のパッキンを押し込むときに用いるパッキン押込み治具であって、
前記収容部材が載置される支持部材と、
前記支持部材に支持されており、前記支持部材に載置された前記収容部材の内部に筒状のスペーサを介して前記パッキンを押し込む押込み部材と
を備え、
前記支持部材は、
下部支持板と、
前記下部支持板の上方に設置されている上部支持板と、
前記下部支持板と前記上部支持板との間を連結している支柱と、
前記下部支持板の上面に設置されている下部ガイド棒と、
前記上部支持板の上面に設置されている上部ガイド棒と、
前記上部支持板の上面に設置されており、前記収容部材、前記パッキン、および、前記スペーサに挿入される心棒と
を有し、
前記押込み部材は、
前記下部支持板と前記上部支持板との間に介在していると共に、前記下部ガイド棒が貫通している下部押込み板と、
前記上部支持板を介して前記下部押込み板の上方に設置されていると共に、前記上部ガイド棒が貫通している上部押込み板と、
前記下部押込み板と前記上部押込み板との間を連結している側板と
を有し、
前記下部押込み板が前記下部支持板に近付くと共に前記上部押込み板が前記上部支持板に近付くように前記押込み部材を移動させることによって、前記収容部材の内部に前記パッキンを押し込む、
パッキン押込み治具。
【請求項２】
前記下部ガイド棒は、単数であって、雄ネジ部が形成されていると共に、前記雄ネジ部に雌ネジ部が設置されており、
前記雌ネジ部の締め付けにより、前記収容部材の内部に前記パッキンを押し込む、
請求項１に記載のパッキン押込み治具。
【請求項３】
前記下部ガイド棒は、前記雌ネジ部と前記下部押込み板との間に介在するように付勢部材が設置されている、
請求項２に記載のパッキン押込み治具。
【請求項４】
前記上部ガイド棒は、複数であり、
前記上部押込み板は、前記複数の上部ガイド棒が貫通している、
請求項１から３のいずれかに記載のパッキン押込み治具。
【請求項５】
前記スペーサは、前記収容部材の内部に前記パッキンを押し込むときの押込み量に対応するように、罫書き線が外周面に設けられている、
請求項１から４のいずれかに記載のパッキン押込み治具。
【請求項６】
前記心棒の高さは、前記収容部材の内部に収容される前記パッキンの高さよりも高い、
請求項１から５のいずれかに記載のパッキン押込み治具。
【請求項７】
前記心棒は、透明な筒状体である、
請求項１から６のいずれかに記載のパッキン押込み治具。
【請求項８】
請求項１から７のいずれかに記載のパッキン押込み治具を用いて前記収容部材の内部に前記パッキンを押し込む、パッキン押込み方法であって、
前記心棒に前記収容部材を設置し、前記収容部材の内部に前記パッキンを挿入した後に、前記収容部材の内部に前記スペーサを挿入する挿入工程と、
前記下部押込み板が前記下部支持板に近付くと共に前記上部押込み板が前記上部支持板に近付くように前記押込み部材を移動させることによって、前記スペーサを介して前記収容部材の内部に前記パッキンを押し込む押込み工程と
を有する、
パッキン押込み方法。
【発明の詳細な説明】
【技術分野】
【０００１】
本発明は、パッキン押込み治具およびパッキン押込み方法に関する。
【背景技術】
【０００２】
筒状の収容部材の内部に環状のパッキンを押し込むときには、パッキン押込み治具が用いられる。たとえば、筒状の収容部材は、原子炉の下部に設置される制御棒駆動機構を構成するスプールピースのケーシングであり、パッキン押込み治具は、そのケーシングの内部にシール部材である環状のパッキンとしてグランドパッキンを押し込む際に用いられる。
【先行技術文献】
【特許文献】
【０００３】
【特許文献１】特開２０１８−１８５２３５号公報
【発明の概要】
【発明が解決しようとする課題】
【０００４】
しかしながら、従来においては、筒状の収容部材の内部に環状のパッキンを正確に押し込むことが困難な場合がある。このため、作業者の技量に応じてパッキンの押し込み量が不十分になり、パッキンによるシール特性が十分でない場合がある。そして、作業が容易でないために、作業効率の向上を実現することが困難な場合がある。
【０００５】
したがって、本発明が解決しようとする課題は、筒状の収容部材の内部に環状のパッキンを正確に押し込む作業を容易とし、作業効率を向上可能な、パッキン押込み治具およびパッキン押込み方法を提供することである。
【課題を解決するための手段】
【０００６】
実施形態のパッキン押込み治具は、筒状の収容部材の内部に環状のパッキンを押し込むときに用いるパッキン押込み治具である。パッキン押込み治具は、収容部材が載置される支持部材と、支持部材に支持されており、支持部材に載置された収容部材の内部に筒状のスペーサを介してパッキンを押し込む押込み部材とを備える。支持部材は、下部支持板と、下部支持板の上方に設置されている上部支持板と、下部支持板と上部支持板との間を連結している支柱と、下部支持板の上面に設置されている下部ガイド棒と、上部支持板の上面に設置されている上部ガイド棒と、上部支持板の上面に設置されており、収容部材、パッキン、および、スペーサに挿入される心棒とを有する。押込み部材は、下部支持板と上部支持板との間に介在していると共に、下部ガイド棒が貫通している下部押込み板と、上部支持板を介して下部押込み板の上方に設置されていると共に、上部ガイド棒が貫通している上部押込み板と、下部押込み板と上部押込み板との間を連結している側板とを有する。下部押込み板が下部支持板に近付くと共に上部押込み板が上部支持板に近付くように押込み部材を移動させることによって、収容部材の内部にパッキンを押し込む。
【発明の効果】
【０００７】
本発明によれば、筒状の収容部材の内部に環状のパッキンを正確に押し込む作業を容易とし、作業効率を向上可能な、パッキン押込み治具およびパッキン押込み方法を提供することができる。
【図面の簡単な説明】
【０００８】
【図１】図１は、実施形態に係るパッキン押込み治具の全体を模式的に示す斜視図である。
【図２】図２は、実施形態に係るパッキン押込み治具の全体を模式的に示す斜視図である。
【図３】図３は、実施形態に係るパッキン押込み治具の断面図である。
【図４】図４は、実施形態に係るパッキン押込み治具の断面図である。
【図５】図５は、実施形態に係るパッキン押込み治具において、スペーサを拡大して示す斜視図である。
【図６】図６は、実施形態に係るパッキン押込み治具において、雌ネジ部と付勢部材とが設けられた部分を拡大して示す断面図である。
【図７】図７は、実施形態に係るパッキン押込み方法を模式的に示す図である。
【図８】図８は、実施形態に係るパッキン押込み方法を模式的に示す図である。
【図９】図９は、実施形態に係るパッキン押込み方法を模式的に示す図である。
【図１０】図１０は、実施形態に係るパッキン押込み方法を模式的に示す図である。
【図１１】図１１は、実施形態の変形例１に係るパッキン押込み治具を拡大して示す断面図である。
【図１２】図１２は、実施形態の変形例２に係るパッキン押込み治具を拡大して示す断面図である。
【発明を実施するための形態】
【０００９】
［Ａ］パッキン押込み治具１の構成
図１および図２は、実施形態に係るパッキン押込み治具１の全体を模式的に示す斜視図である。図１は、パッキン押込み治具１に収容部材８０を取り付ける前の状態を示し、図２は、パッキン押込み治具１に収容部材８０を取り付けた後の状態を示している。
【００１０】
図３および図４は、実施形態に係るパッキン押込み治具１の断面図である。図３は、図１の鉛直面（ｘｚ面）の断面を示しており、図４は、図２の鉛直面（ｘｚ面）の断面を示している。
【００１１】
各図において、ｚ軸方向は、鉛直方向であり、ｘ軸方向が第１水平方向であり、ｙ軸方向が鉛直方向および第１水平方向に対して直交する第２水平方向である。
【００１２】
本実施形態のパッキン押込み治具１は、図１から図４に示すように、支持部材１０と押込み部材３０とを備えており、筒状のスペーサ５０を介して筒状の収容部材８０の内部に環状のパッキン９０を押し込むために用いられる。本実施形態では、収容部材８０は、原子炉の下部に設置される制御棒駆動機構（図示省略）に用いられるスプールピースにおいてケーシングを構成する円筒状の下部ケーシング部であって、その収容部材８０の内部にシール材であるパッキン９０として円環状のグランドパッキンを押し込む際に用いられるパッキン押込み治具１を例示している。
【００１３】
本実施形態のパッキン押込み治具１を構成する各部について順次説明する。
【００１４】
［Ａ−１］支持部材１０
パッキン押込み治具１のうち、支持部材１０は、下部支持板１１と上部支持板１２と支柱１３と下部ガイド棒１１１と上部ガイド棒１２１と心棒１２２と有し、収容部材８０が載置されるように構成されている。
【００１５】
［Ａ−１−１］下部支持板１１
支持部材１０において、下部支持板１１は、矩形形状の板状体であって、上面および下面が水平面（ｘｙ面）に沿うように構成されている。
【００１６】
［Ａ−１−２］上部支持板１２
支持部材１０において、上部支持板１２は、下部支持板１１の上方に空間を介して設置されている。上部支持板１２は、下部支持板１１と同様に、矩形形状の板状体であって、上面および下面が水平面（ｘｙ面）に沿うように構成されている。
【００１７】
本実施形態では、上部支持板１２は、第１水平方向ｘにおける長さが下部支持板１１と同じであると共に、第２水平方向ｙにおける長さが下部支持板１１と同じになるように構成されている。
【００１８】
［Ａ−１−３］支柱１３
支持部材１０において、支柱１３は、下部支持板１１と上部支持板１２との間を連結するために設けられている。支柱１３は、矩形形状の板状体であって、軸が鉛直方向ｚに沿って延在するように設けられている。
【００１９】
本実施形態では、支柱１３は、複数である。具体的には、支柱１３は、４つであって、下部支持板１１の４つのコーナー部分と上部支持板１２の４つのコーナー部分とのそれぞれの間を連結している。ここでは、一対の支柱１３が第１水平方向ｘにおいて間を隔てて配置されていると共に、一対の支柱１３が第２水平方向ｙにおいて間を隔てて配置されている。
【００２０】
［Ａ−１−４］下部ガイド棒１１１
支持部材１０において、下部ガイド棒１１１は、単数であって、下部支持板１１の上面に設置されている。下部ガイド棒１１１は、円柱形状の棒状体であって、軸が鉛直方向ｚに沿うように、下部支持板１１の上面の中心に設けられている。
【００２１】
本実施形態では、下部ガイド棒１１１は、鉛直方向ｚにおける長さが支柱１３よりも短くなるように構成されている。
【００２２】
［Ａ−１−５］上部ガイド棒１２１
支持部材１０において、上部ガイド棒１２１は、上部支持板１２の上面に設置されている。上部ガイド棒１２１は、円柱形状の棒状体であって、軸が鉛直方向ｚに沿って延在するように設けられている。
【００２３】
本実施形態では、上部ガイド棒１２１は、複数である。具体的には、上部ガイド棒１２１は、２つであって、その２つの上部ガイド棒１２１の間に上部支持板１２の上面の中心が介在している。また、その２本の上部ガイド棒１２１は、第１水平方向ｘにおいて間を隔てて配置されている。
【００２４】
［Ａ−１−６］心棒１２２
支持部材１０において、心棒１２２は、上部支持板１２の上面の中心に設置されている。心棒１２２は、円柱形状の棒状体であって、軸が鉛直方向ｚに沿って延在するように設けられている。つまり、心棒１２２は、鉛直方向ｚにおいて、下部ガイド棒１１１と同軸に並んでいる。
【００２５】
本実施形態では、心棒１２２は、鉛直方向ｚにおける長さが上部ガイド棒１２１よりも短い。また、心棒１２２の高さ（鉛直方向ｚにおける長さ）が収容部材８０の内部に収容されるパッキン９０の高さよりも高くなるように、心棒１２２が構成されている。
【００２６】
そして、心棒１２２は、収容部材８０、パッキン９０、および、スペーサ５０に挿入されるように構成されている。ここでは、心棒１２２の外径がパッキン９０およびスペーサ５０の内径とほぼ同じであって、収容部材８０の内部においてパッキン９０およびスペーサ５０を収容する部分の内径よりも心棒１２２の外径が小さくなるように構成されている。
【００２７】
［Ａ−２］押込み部材３０
パッキン押込み治具１のうち、押込み部材３０は、下部押込み板３１と上部押込み板３２と側板３３とを有し、支持部材１０に支持されている。
【００２８】
押込み部材３０は、支持部材１０に載置された収容部材８０の内部に筒状のスペーサ５０を介してパッキン９０を押し込むために設けられている。詳細については後述するが、本実施形態では、押込み部材３０は、下部押込み板３１が下部支持板１１に近付くと共に上部押込み板３２が上部支持板１２に近付くように押込み部材３０を移動させることによって、スペーサ５０を介して収容部材８０の内部にパッキン９０を押し込むように構成されている。
【００２９】
［Ａ−２−１］下部押込み板３１
押込み部材３０において、下部押込み板３１は、矩形形状の板状体であって、上面および下面が水平面（ｘｙ面）に沿うように構成されている。ここでは、下部押込み板３１は、第１水平方向ｘにおける長さが下部支持板１１および上部支持板１２よりも長い。これと共に、下部押込み板３１は、第２水平方向ｙにおける長さが下部支持板１１および上部支持板１２よりも短い。
【００３０】
本実施形態では、下部押込み板３１は、鉛直方向ｚにおいて下部支持板１１と上部支持板１２との間に介在すると共に、第２水平方向ｙに並ぶ一対の支柱１３の間に介在するように設置されている。そして、下部押込み板３１は、鉛直方向ｚにおいて下部ガイド棒１１１が貫通している。
【００３１】
［Ａ−２−２］上部押込み板３２
押込み部材３０において、上部押込み板３２は、矩形形状の板状体であって、下部押込み板３１と同様に、上面および下面が水平面（ｘｙ面）に沿うように構成されている。ここでは、上部押込み板３２は、第１水平方向ｘにおける長さが下部押込み板３１と同じであると共に、第２水平方向ｙにおける長さが下部押込み板３１と同じになるように構成されている。
【００３２】
本実施形態では、上部押込み板３２は、鉛直方向ｚにおいて上部支持板１２を介して下部押込み板３１の上方に設置されている。つまり、上部押込み板３２は、上部支持板１２を介して下部押込み板３１に対面するように設置されている。そして、上部押込み板３２は、鉛直方向ｚにおいて複数の上部ガイド棒１２１が貫通している。
【００３３】
［Ａ−２−３］側板３３
押込み部材３０において、側板３３は、下部押込み板３１と前記上部押込み板３２との間を連結するために設けられている。側板３３は、矩形形状の板状体であって、鉛直方向ｚに延在するように設置されている。側板３３は、一対であって、その一対の側板３３が第１水平方向ｘにおいて間を隔てて対面するように配置されている。
【００３４】
本実施形態では、側板３３は、第２水平方向ｙにおける長さが上部押込み板３２および下部押込み板３１と同じになるように構成されている。そして、側板３３は、鉛直方向ｚにおける長さが心棒１２２よりも長く、かつ、上部ガイド棒１２１よりも短くなるように構成されている。
【００３５】
［Ａ−３］スペーサ５０
パッキン押込み治具１において、スペーサ５０は、円筒体であって、収容部材８０の内部にパッキン９０を押し込むときに、心棒１２２に設置される。スペーサ５０は、スペーサ５０の内径が心棒１２２の外径およびパッキン９０の内径とほぼ同じであって、収容部材８０の内部においてパッキン９０およびスペーサ５０を収容する部分の内径にスペーサ５０の外径がほぼ同じになるように構成されている。
【００３６】
図５は、実施形態に係るパッキン押込み治具１において、スペーサ５０を拡大して示す斜視図である。
【００３７】
図５に示すように、スペーサ５０は、罫書き線５０１が外周面に設けられている。罫書き線５０１は、収容部材８０の内部にパッキン９０を押し込むときの押込み量に対応するように、スペーサ５０の外周面に形成されている。
【００３８】
［Ａ−４］その他の部材
上記の他に、本実施形態のパッキン押込み治具１においては、雌ネジ部１１３と付勢部材１１２とが設けられている。
【００３９】
図６は、実施形態に係るパッキン押込み治具１において、雌ネジ部１１３と付勢部材１１２とが設けられた部分を拡大して示す断面図である。
【００４０】
［Ａ−４−１］雌ネジ部１１３
図６に示すように、下部ガイド棒１１１は、雄ネジ部３１１が全体に形成されている。そして、その雄ネジ部３１１に雌ネジ部１１３が設置されている。詳細については後述するが、雌ネジ部１１３は、たとえば、六角ナットであって、下部ガイド棒１１１において締め付けられることにより、収容部材８０の内部にパッキン９０を更に押し込むために設置されている。
【００４１】
［Ａ−４−２］付勢部材１１２
付勢部材１１２は、下部ガイド棒１１１において雌ネジ部１１３と下部押込み板３１との間に介在するように設置されている。付勢部材１１２は、スプリングカラー１１２ａとスプリング１１２ｂとを含む。
【００４２】
スプリングカラー１１２ａは、スプリング１１２ｂの収容部材であって、鉛直方向ｚにおいて下部ガイド棒１１１が貫通しており、内部にスプリング１１２ｂを収容している。スプリング１１２ｂは、コイルバネなどの弾性体であって、スプリングカラー１１２ａを介して鉛直方向ｚに付勢するように設置されている。
【００４３】
［Ｂ］パッキン押込み方法
上記のパッキン押込み治具１を用いて収容部材８０の内部にパッキン９０を押し込むパッキン押込み方法について、図１から図６と共に、図７から図１０を用いて説明する。
【００４４】
図７から図１０は、実施形態に係るパッキン押込み方法を模式的に示す図である。図７から図１０のそれぞれは、パッキン押込み治具１において、収容部材８０の内部にパッキン９０を押し込む部分を拡大して示す断面図である。
【００４５】
［Ｂ−１］挿入工程
本実施形態のパッキン押込み方法では、図７から図９に示すように、心棒１２２に収容部材８０とパッキン９０とスペーサリング５１とスペーサ５０とを順次設置する（挿入工程）。
【００４６】
ここでは、まず、図７に示すように、心棒１２２に収容部材８０を取り付ける。収容部材８０は、上述したように、円筒状の下部ケーシング部であって、軸方向の一方側から他方側に貫通する空洞Ｓ８０を備える。収容部材８０の空洞Ｓ８０は、内径が心棒１２２の外径より広い第１空洞部Ｓ８０ａと、内径が心棒１２２の外径と同じ第２空洞部Ｓ８０ｂとを含み、第２空洞部Ｓ８０ｂが軸方向の一方側に位置している。そして、収容部材８０は、第１空洞部Ｓ８０ａが上方に位置し、第２空洞部Ｓ８０ｂが下方に位置するように、心棒１２２に取り付けられる。
【００４７】
そして、図８に示すように、心棒１２２に設置された収容部材８０の内部にパッキン９０を挿入する。パッキン９０は、上述したように、円環状のグランドパッキンであって、空洞Ｓ９０を含む。パッキン９０の内径は、心棒１２２の外径と同じであり、パッキン９０の外径は、収容部材８０の内径と同じである。そして、複数のパッキン９０が、収容部材８０の第１空洞部Ｓ８０ａにおいて心棒１２２に挿入されるように設置される。
【００４８】
その後、図９に示すように、パッキン９０が挿入された収容部材８０の内部にスペーサリング５１とスペーサ５０を挿入する。スペーサリング５１は、円環状であって、空洞Ｓ５１を含む。スペーサリング５１の内径は、心棒１２２の外径と同じであり、スペーサリング５１の外径は、収容部材８０の内径と同じである。スペーサ５０は、円筒状であって、空洞Ｓ５０を含む。スペーサ５０の内径は、心棒１２２の外径と同じであり、スペーサ５０の外径は、収容部材８０の内径と同じである。そして、スペーサリング５１とスペーサ５０とが、収容部材８０の第１空洞部Ｓ８０ａにおいて心棒１２２に挿入されるように順次設置される。
【００４９】
［Ｂ−２］押込み工程
つぎに、図１０に示すように、スペーサ５０を介して収容部材８０の内部にパッキン９０を押し込む。（押込み工程）。
【００５０】
ここでは、パッキン押込み治具１において押込み部材３０（図２および図４参照）を下方へ向けて移動させることによって、下部押込み板３１が下部支持板１１に近付くと共に上部押込み板３２が上部支持板１２に近付く。その結果、図１０に示すように、上部押込み板３２がスペーサ５０の上端に接触した状態になる。
【００５１】
その後、パッキン押込み治具１において雌ネジ部１１３（図２および図４参照）の締め付けを行うことで押込み部材３０を更に下方へ移動させる。これにより、図１０に示すように、上部押込み板３２と共にスペーサ５０が下方へ移動する。
【００５２】
雌ネジ部１１３の締め付けは、スペーサ５０の外周面に設けられた罫書き線５０１（図５参照）が収容部材８０の上端に達するまで実行される。その結果、パッキン９０は、収容部材８０の内部において、予め定めた押し込み量になるように押し込まれる。
【００５３】
［Ｂ−３］取り出し工程
上記のように、収容部材８０の内部にパッキン９０を押し込んだ後には、そのパッキン９０が押し込まれた収容部材８０をパッキン押込み治具１から取り出す（取り出し工程）。
【００５４】
ここでは、雌ネジ部１１３（図２および図４参照）を緩めた後に、パッキン９０が押し込まれた収容部材８０をパッキン押込み治具１の心棒１２２から抜き取る。その後、スペーサ５０およびスペーサリング５１を収容部材８０から抜き取る。このようにして、パッキン９０が押し込まれた収容部材８０であるパッキン組立体が作製される。
【００５５】
［Ｃ］まとめ
以上のように、本実施形態のパッキン押込み治具１において、押込み部材３０は、下部押込み板３１に下部ガイド棒１１１が貫通している共に、上部押込み板３２に上部ガイド棒１２１が貫通している。そして、下部押込み板３１と上部押込み板３２との間を側板３３が連結している。また、下部ガイド棒１１１は、単数であって、雄ネジ部３１１が全体に形成されていると共に、雄ネジ部３１１に雌ネジ部１１３が設置されている。このため、本実施形態では、上部押込み板３２の水平状態を保持することができるので、収容部材８０の内部にパッキン９０を正確に押し込むことができる。その結果、本実施形態では、作業効率の向上が可能であると共に、パッキン９０によるシール特性を十分に発現可能である。
【００５６】
本実施形態では、下部ガイド棒１１１は、雌ネジ部１１３と下部押込み板３１との間に介在するように付勢部材１１２が設置されている。このため、雌ネジ部１１３の締め付けによって鉛直方向ｚに加わる力が、弾性体である付勢部材１１２によって緩和される。その結果、雌ネジ部１１３の締め付けが過大になることを防止可能であって、雌ネジ部１１３のかじりが発生することを抑制することができる。
【００５７】
本実施形態では、上部ガイド棒１２１は、複数であり、上部押込み板３２は、その複数の上部ガイド棒１２１が貫通している。このため、本実施形態では、上部押込み板３２の水平状態をより確実に保持することができる。その結果、パッキン９０の押込み作業をより正確に実行することができる。
【００５８】
本実施形態では、スペーサ５０は、収容部材８０の内部にパッキン９０を押し込むときの押込み量に対応するように、罫書き線５０１（図５参照）が外周面に設けられている。このため、雌ネジ部１１３の締め付けは、上述したように、スペーサ５０の外周面に設けられた罫書き線５０１が収容部材８０の上端に達するまで実行される。その結果、パッキン９０は、収容部材８０の内部において、予め定めた押し込み量になるように押し込まれる。
【００５９】
本実施形態では、心棒１２２の高さは、収容部材８０の内部に収容されるパッキン９０の高さよりも高い。ここでは、心棒１２２の高さは、収容部材８０の内部に収容される複数のパッキン９０の高さの合計値よりも大きい（図１０参照）。このため、本実施形態では、複数のパッキン９０の全てが心棒１２２に挿入された状態で、パッキン９０の押込み作業が実行される。その結果、本実施形態では、パッキン９０の押込み作業をより正確に実行することができる。
【００６０】
［Ｄ］変形例
［Ｄ−１］変形例１
図１１は、実施形態の変形例１に係るパッキン押込み治具１を拡大して示す断面図である。図１１では、図１０と同様に、パッキン押込み治具１において、収容部材８０の内部にパッキン９０を押し込む部分を拡大して示している。
【００６１】
図１１に示すように、心棒１２２は、筒状体であってもよい。そして、心棒１２２は、透明であってもよい。この場合には、収容部材８０の内部においてパッキン９０が押し込まれた様子を、心棒１２２の内部から観察することができる。たとえば、ファイバースコープなどの撮像装置を用いて、観察を実行可能である。その結果、本変形例では、パッキン９０が押し込まれた様子を確認可能であるので、作業効率の向上などを実現することができる。
【００６２】
［Ｄ−２］変形例２
図１２は、実施形態の変形例２に係るパッキン押込み治具１を拡大して示す断面図である。図１２では、図１０と同様に、パッキン押込み治具１において、収容部材８０ｂの内部にパッキン９０を押し込む部分を拡大して示している。
【００６３】
図１２に示すように、収容部材８０ｂは、下部ケーシング部以外に、上部ケーシング部であってもよい。上部ケーシング部である収容部材８０ｂは、外周面の上端側にフランジが形成されている点を除き、下部ケーシング部である収容部材８０（図１０参照）と同様な構成である。このため、本変形例においても、上記実施形態と同様な効果を奏することができる。なお、図示を省略しているが、罫書き線５０１は、変更された収容部材８０ｂの形状や押込み量に合わせて、スペーサ５０の外周面に別途形成されていてもよい。
【００６４】
その他、上記の実施形態等では、雌ネジ部１１３として、六角ナットを例示したが、これに限らない。
【００６５】
＜その他＞
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６６】
１…パッキン押込み治具、１０…支持部材、１１…下部支持板、１２…上部支持板、１３…支柱、３０…押込み部材、３１…下部押込み板、３２…上部押込み板、３３…側板、５０…スペーサ、５１…スペーサリング、８０…収容部材、９０…パッキン、１１１…下部ガイド棒、１１２…付勢部材、１１３…雌ネジ部、１２１…上部ガイド棒、１２２…心棒、３１１…雄ネジ部
【図１】
2020131334.tif 000003
【図２】
2020131334.tif 000004
【図３】
2020131334.tif 000005
【図４】
2020131334.tif 000006
【図５】
2020131334.tif 000007
【図６】
2020131334.tif 000008
【図７】
2020131334.tif 000009
【図８】
2020131334.tif 000010
【図９】
2020131334.tif 000011
【図１０】
2020131334.tif 000012
【図１１】
2020131334.tif 000013
【図１２】
2020131334.tif 000014